(57)【特許請求の範囲】
【請求項１】
室内に臨む前面に、バック空間で籠る熱気を室内に放出する通風部を形成し、前記通風部を、熱気放出孔とその熱気放出孔形成時に切り起こし形成した目隠し板とで構成したレンジフードファンの幕板構造において、前記目隠し板を、熱気放出孔に流入する熱気の放出を方向変換させない態様にしていることを特徴とするレンジフードファンの幕板構造。
【請求項２】
前記目隠し板を、熱気放出孔の上側孔縁に連設してバック空間方向に下向き傾斜状もしくは熱気放出孔の下側孔縁から室内方向に上向き傾斜状にしてあることを特徴とする請求項１記載のレンジフードファンの幕板構造。
【発明の詳細な説明】
【０００１】
【発明の属する技術分野】
本発明はレンジフードファンの幕板構造、更に詳しくはレンジフードファン上において吊戸棚、天井、壁で囲繞されたバック空間で籠る熱気を室内に放出する幕板構造に関するものである。
【０００２】
【従来の技術】
レンジフードファンは、通常隣設する吊戸棚等で挟まれた状態で室内の壁に設置され、またレンジフードファンの天板に幕板を立設し、その幕板で屋外に配管される排気ダクト、その接続部や天板上に露出する電気配線等を室内から隠している。
そのため、調理によって発生した高温の燃焼ガス等が排気ダクトを通じてバック空間に伝達され、それが熱気となってレンジフードファンの天板、幕板、吊戸棚、壁、天井等で囲繞されるバック空間に籠って、吊戸棚、壁、天井を変色させたり、耐久性を劣化させる虞れがある。
このような熱気の籠りを解消する幕板構造として図７に示す構造が既に提案されている。
この先行例は幕板２の前面に熱気放出孔11を設け、その幕板２の天部から排気ダクトａ４や電気配線（図示せず）等を熱気放出孔11から見えないようにするために目隠し板21を斜設している。
しかし、熱気放出孔11と排気ダクトａ４や電気配線等との間を遮る目隠し板21をネジやスポット溶接等の適宜手段で幕板２の天部に固着する必要が生じ、幕板２の製作作業を面倒にするばかりでなく、材料コストも高騰し、レンジフードファンを低廉下で提供する上で好ましいものではなく、また図面でも明らかなように目隠し板21はバック空間３で生じる熱気Ｘの流路経路を横断する大きな邪魔板300 として機能し、熱気Ｘを熱気放出孔11に到達させる上で大きな障害になっている。
このような問題点を解決するために図８に示す幕板構造が既に提案されている。
この幕板構造はバック空間３との通風部１を、バック空間３で籠る熱気Ｘを室内に放出する熱気放出孔11と、その熱気放出孔11形成時に熱気放出孔11の上側孔縁に連設して室内方向に下向き傾斜状に切り起こし形成した目隠し板21とで構成している。
【０００３】
【発明が解決しようとする課題】
前記先行例は熱気放出孔11に熱気Ｘを到達させる時の抵抗にならず、しかも熱気放出孔11を開孔すると同時に目隠し板21をカットベンドで形成できることから、熱気Ｘの効率的な放出と製作性とを共に向上することができる。
しかし、熱気放出孔11に流入する熱気Ｘが下向き傾斜状の目隠し板21にぶつかって熱気Ｘに逆圧を作用させることから、熱気Ｘを効率良く逃がす上で最善の構造ではなかった。
【０００４】
本発明は、従来事情に鑑みてなされたもので、その技術的課題は熱気の放出部に流入する熱気を、抵抗を与えずに室内に逃がすことである。
【０００５】
【課題を解決するための手段】
上記目的を達成するために講じた技術的手段は、請求項１は、室内に臨む前面に、バック空間で籠る熱気を室内に放出する通風部を形成し、前記通風部を、熱気放出孔とその熱気放出孔形成時に切り起こし形成した目隠し板とで構成したレンジフードファンの幕板構造において、前記目隠し板を、熱気放出孔に流入する熱気の放出を方向変換させない態様にしていることを要旨とする。
また、請求項２は、請求項１記載の目隠し板を、熱気放出孔の上側孔縁に連設してバック空間方向に下向き傾斜状もしくは熱気放出孔の下側孔縁から室内方向に上向き傾斜状にしていることを要旨とする。
【０００６】
上記技術的手段によれば下記を作用を奏する。
（請求項１、２）本幕板構造は熱気放出孔形成時に切り起こし形成した目隠し板が熱気放出孔に流入する熱気を方向変換せずにスムースに幕板前方の天井方向に案内すると共に、バック空間の排気ダクトや電気配線等を視認不能に隠す。
【０００７】
【発明の実施の形態】
次に、本発明の実施の形態を図面に基づいて説明する。
図１乃至図６は本実施の形態のレンジフードファンの幕板構造を示している。符号Ａはレンジフードファンである。
【０００８】
このレンジフードファンＡは図示するようにフード本体ａ１の前方開放部を着脱可能な前板ａ２で被覆し、内部に排気装置ａ３を、またその前方に仕切板（図示せず）先端と天井板部内面とに設けたフィルタ桟（図示せず）に亘ってフィルタ（図示せず）を係脱可能に係止し、排気装置ａ３に連絡して排気ダクトａ４を室外に配管し、また天板部ａ１’上には先端から幕板２を立設して、その幕板２でバック空間３の排気ダクトａ４や電気配線等を室内から視認不能に隠した周知の構造のものを示している。
【０００９】
この幕板２は前面の両端から両側面を背後方向に向けて折曲した平面視略コ形形状を呈してなり、レンジフードファンＡの天板部ａ１’上面から天井近傍にまで至る縦寸法で且つ隣設する図示するように吊戸棚Ｂ、Ｂ間を覆う横寸法を有し、下端をネジ止め等の適宜手段で天板部ａ１’に固定して立設してある（図１、図２参照）。
【００１０】
この幕板２の前面には通風部１が形成されている。
【００１１】
通風部１はレンジフードファンＡの天板部ａ１’、幕板２、吊戸棚Ｂ、Ｂ、壁100 、天井200 から囲繞されるバック空間３に籠る熱気Ｘを室内に放出する熱気放出孔11とその熱気放出孔11形成時に切り起こしたバック空間用の目隠し板21とで構成してある。
【００１２】
この熱気放出孔11は図４（イ）（ロ）（ハ）（ニ）に示すように丸形、正方形、横長矩形孔、横長孔形状等適宜形状を呈してなり、幕板２の前面の上方側に散在して開孔してある。
【００１３】
目隠し板21は熱気放出孔11に流入する熱気の放出を方向変換させない態様、詳細には図３（イ）に示すように熱気放出孔11の上側孔縁に連設してバック空間３方向に下向き傾斜状もしくは図３（ロ）に示すように熱気放出孔11の下側孔縁から室内方向に上向き傾斜状もって折曲したカットベンドで各々形成されている。
【００１４】
従って、前記バック空間３で籠る熱気Ｘは熱気放出孔11に流入し前記目隠し板21の案内作用で幕板２前方の天井200 方向にスムースに放出され、またバック空間３の排気ダクトａ４や電気配線等はその切り起こし形成された目隠し板21で視認不能に隠される。
尚、図３の（ロ）の場合には目隠し板21がバック空間３に突出するものではないため、熱気放出孔11への熱気Ｘの流入も全く阻害しないことから、熱気Ｘの放出も更に高効率になる。
【００１５】
図５、図６は熱気放出孔11に流入する熱気の放出を方向変換させない目隠し板21の変形態様を図示しており、室内側またはバック空間３側に配置する目隠し板21を熱気放出孔11と平行に切り起こし形成している。
符号21ａが幕板２の前面との連設部である。
【００１６】
また、図３（イ）、図６（イ）に示す通風部１の場合には目隠し板21が室内に突出しないことから、内装性ばかりでなく、雑巾や指が目隠し板21に引っ掛からず清掃性も良いものとなる。
【発明の効果】
本発明は以上のように通風部を、熱気放出孔とその熱気放出孔形成時に切り起こし形成した目隠し板とで構成したレンジフードファンの幕板構造において、前記目隠し板を、熱気放出孔に流入する熱気の放出を方向変換させない態様にしたから、製作性を向上させた上にバック空間に籠る熱気に抵抗（逆圧）を与えることなく前方の天井方向に効率良く逃がすことができる。
しかも、熱気が使用者の顔に注いで調理を不快にする虞もない。
その上、目隠し板を熱気放出孔の上側孔縁に連設してバック空間方向に下向き傾斜状にした場合には目隠し板が室内方向に突出せず、目隠し板に雑巾や指が引っ掛かって清掃を面倒にしたり、怪我させる危惧もない。
【図面の簡単な説明】
【図１】レンジフードファンの使用状態を示す正面図。
【図２】レンジフードファンの側面図で一部切欠して示す。
【図３】要部の拡大断面図で、（イ）は、目隠し板を熱気放出孔の上側孔縁に連設してバック空間方向に下向き傾斜状に折曲形成した場合、（ロ）は、目隠し板を熱気放出孔の下側孔縁から室内方向に上向き傾斜状もって折曲形成した場合を示す。
【図４】熱気放出孔の正面図で、（イ）は丸形。（ロ）は正方形。（ハ）は横長矩形。（ニ）は横長孔形の場合を各々示す。
【図５】通風部の他の変形態様を示し、（イ）は目隠し板を熱気放出孔に対して室内側に配置し且つ平行関係にしている状態を示し、（ロ）はその（Ｃ）−（Ｃ）線拡大断面図を示している。
【図６】更に通風部の他の変形態様を示し、（イ）は目隠し板を熱気放出孔に対してバック空間側に配置し且つ平行関係にしている状態を示し、（ロ）はその（Ｄ）−（Ｄ）線拡大断面図を示している。
【図７】従来のレンジフードファンの側面図。
【図８】更に他のレンジフードファンの要部の断面図。
【符号の説明】
Ａ  ：レンジフードファン        １  ：通風部
11  ：熱気放出孔                21  ：目隠し板
３  ：バック空間                ２  ：幕板
Ｘ  ：熱気
【図１】
0003798877.tif 000002
【図２】
0003798877.tif 000003
【図３】
0003798877.tif 000004
【図４】
0003798877.tif 000005
【図５】
0003798877.tif 000006
【図６】
0003798877.tif 000007
【図７】
0003798877.tif 000008
【図８】
0003798877.tif 000009